(57)【要約】【課題】下穿身頃側への尿の滲み出しが生じない失禁パッドを提供すること。【解決手段】失禁パッド１の全周縁８の下面９、側端面１０、上面１１を撥水テープで包み込み、かつ超音波加工により溶着し、その超音波溶着部１６をＳ字状の連結痕２１とし、撥水テープ１２の遊離延長片１４で超音波溶着部１６を包み込み、該延長片１４の外縁部分２４で下穿に縫着、固定する。【選択図】図２
2004073555.tif 000002
【特許請求の範囲】
【請求項１】
防水シートの上に吸水シートが重ねられ、吸水シートの上に水透過性と撥水性とを具備する遮水シートが配置されている失禁パッド主体部の全周縁の下面、側端面、上面が撥水テープで包み込まれ、該撥水テープが超音波溶着により、失禁パッドの全周縁の全層と一体に溶融され、接着され、かつ該撥水テープには、前記超音波溶着部の掩蔽と、下穿身頃への固定とに用いる遊離延長片が形成されている失禁パッド。
【請求項２】
失禁パッド主体部と撥水テープとの超音波溶着痕が、失禁パッドの全周縁にわたって連続し、かつ互に一部重複するＳ字状の連続痕である請求項１記載の失禁パッド。
【請求項３】
防水シートの上に吸水シートが重ねられ、吸水シートの上に水透過性と撥水性とを具備する遮水シートが配置されている失禁パッド主体部の全周縁の下面、側端面、上面が撥水テープで包み込まれ、該撥水テープは、前記全周縁にわたって連続し、かつ互に一部重複するＳ字状の超音波溶着痕で前記全周縁の全層に溶融され、溶着されていると共に、前記撥水テープから、その全長にわたって、失禁パッド主体部の上面内側へ向けて延設された遊離延長片が、失禁パッドの全周縁を越えて下穿身頃側へ折り返され、下穿身頃側に固定されている失禁用下穿。
【発明の詳細な説明】
【０００１】
【発明の属する技術分野】
本発明は、主として病性、老人性の失禁に対応する失禁パッドと、この失禁パッドを取り付けた失禁用下穿の改良に関する。
【０００２】
【従来の技術】
この種の失禁パッドとこの失禁パッドを取り付けた失禁用下穿としては、吸水性資材よりなる吸水シートの下面に防水シートを配置し、該吸水シートの上面に水透過性を有すると共に撥水性も有する遮水シートを配して全周縁部で一体に縫着して構成した失禁パッド及び該パッドを股下部に縫着した下穿等が提案されている。
【０００３】
然し、従来の失禁パッド及び該パッドを取り付けた下穿は、ミシン縫い目による縫合構造が必ず採用されており、代表的なものとしては、図６、図７に示すごとく、吸水性資材よりなる吸水シートＡの下面に防水シートＢを配置し、その上面に水透過性を有すると共に撥水性も有する遮水シートＣを重ね、全周縁部を撥水テープＤで包被し、ミシン縫目Ｅで一体に縫合した失禁パッドＦや、図８、図９に示すごとく、該失禁パッドＦを下穿の股下部Ｇに当接し、失禁パッドＦの全周縁を千鳥縫い目Ｈで股下部Ｇに縫合したもの等が知られている。
【０００４】
前記図６ないし図７に示すものは、失禁パッドＦのミシン縫目Ｈの縫い糸構造を通して、尿その他の水分が股下部Ｇに滲透するのを阻止できず、長時間の着用に耐えない問題を有している。
【０００５】
【発明が解決しようとする課題】
前述の従来の失禁パッドや失禁パッドの取り付けられた下穿の有する問題点に鑑み、本発明は、縫い糸による縫着構造に代えて、超音波溶着を採用することにより、吸水シートに吸蔵された尿その他の水分が、正常な使用態様では、失禁パッド外に滲透することが皆無であり、身体の動きにつれて失禁パッドに繰り返し伸縮力が作用しても、この伸縮に耐え、長時間に亘る着用でも、吸水シートの吸水能一杯までの着用が可能であり、然も超音波溶着構造を採用しているにも拘らず、この溶着部分が肌に当らず、着用感の良好な失禁パッド及びこのパッドの取り付けられた失禁用下穿を提供することを課題としている。
【０００６】
【課題を解決するための手段】
前記課題を解決するため、請求項１の発明では、失禁パッドを、次のごとき構成とした。即ち防水シートの上に吸水シートが重ねられ、吸水シートの上に水透過性と撥水性とを具備する遮水シートが配置されている失禁パッド主体部の全周縁の下面、側端面、上面を撥水テープで包み込み、該撥水テープを超音波溶着により、失禁パッドの全層と一体に溶融し、溶着し、かつ該撥水テープには、前記超音波溶着部の掩蔽と、下穿身頃への固定に用いる遊離延長片を形成した構成とした。
【０００７】
請求項２の発明では、請求項１の発明に、失禁パッド主体部と撥水テープとの超音波溶着痕を、失禁パッドの全周縁にわたって連続し、かつ互に一部重複するＳ字状の連続痕とするという構成を付加した。
【０００８】
請求項３の発明では、失禁用下穿を次の構成とした。即ち、防水シートの上に吸水シートが重ねられ、吸水シートの上に水透過性と撥水性とを具備する遮水シートが配置されている失禁パッド主体部の全周縁の下面、側端面、上面を撥水テープで包み込み、該撥水テープは、前記全周縁にわたって連続し、かつ互に一部重複するＳ字状の超音波溶着痕で前記全周縁に溶融させ、接着させると共に、前記撥水テープから、その全長にわたって、失禁パッド主体部の上面内側へ向けて遊離延長片を延設し、失禁パッドの全周縁を越えて下穿身頃側へ折り返し下穿身頃側に固定した。
この固定は、後述する実施例では、ミシンによる縫着であるが、そのほかボタン留め、面ファスナーによる係止等注意の手段が採用される。
【０００９】
【発明の実施の形態】
図１ないし図５は、請求項１及び請求項２の両発明を併せ適用した請求項３の発明を示しており、図１及び図２は、本発明に係る失禁パッド１を縫着した下穿３の股下部４を示しており、この失禁パッド１は図３、図４及び図５に示す構造とされている。
【００１０】
図示の失禁パッド１の主体部２は、図３に示すごとく、防水シート５の上に、公知の吸水シート６が重ねられ、その上に公知の水透過性と撥水性とを具備する遮水シート７が重ねられ、該主体部２の全周縁８の下面９から側端面１０を経て上面１１にわたる部分は一連の撥水テープ１２で包み込まれ、上面１１を被覆した撥水テープ１２の全長にわたる側片部分１３は、失禁パッド１の主体部２の上面内側へ向けて後述する所定長さ延出させられ、かつ後述する超音波加工位置まで折り返されて遊離延長片１４を形成している。
図示例では、遊離延長片１４は、前記折り返しにより二重構造とされているが一重でもよいことは勿論である。
【００１１】
前述の防水シート５、吸水シート６、遮水シート７及び撥水テープ１２は、超音波溶着加工により溶融し、全層を通して非透水性の溶着部を形成できる合成樹脂繊維製素材で形成されている。
【００１２】
図３に断面とし示した構造に積層された失禁パッド素材１５は、次いで超音波溶着加工装置により、図４に断面とした溶着部１６を形成される。
【００１３】
この溶着部１６は、図５に示すごとく、その個々の超音波溶着痕１７がＳ字状を形成し、かつ隣接する該溶着痕１７同士が少なくとも一部分１８、１９、２０で重複するＳ字状の連結痕２１とされており、このＳ字状の連結痕２１故に、超音波溶着痕１７自体は、双矢印２２、２３方向の伸縮性を保有する。前記Ｓ字状の連結痕２１は、図４に示すごとく、失禁パッド１の主体部２の全周縁８寄りに形成されるので、撥水テープ１２には、失禁パッド１の内側寄りに比較的広い面積の遊離延長片１４が形成された形状となる。
【００１４】
図５に示す構造に製作された失禁パッド１は、図１及び図２に示すごとく、下穿２の身頃側たる股下部３に固定される。図示例では、撥水テープ１２の遊離延長片１４が、失禁パッド１の全周縁８を包み込むように折り返され、その外縁部分２４で、ミシンによる縫目２５で、下穿２の身頃側たる股下部３に縫着されているが、この縫目は、千鳥縫目、環縫目等、任意の縫目構造が採用され、更には既述のごとくボタン留め、面ファスナー留め、両面接着テープ留め等の着脱自在の取り付け構造による固定でもよい。
【００１５】
【発明の効果】
請求項１の発明によると、従来と同様の失禁パッド主体部の全周縁の下面、側端面、上面が撥水テープで包み込まれ、該撥水テープが超音波溶着により、失禁パッドの全周縁の全層と一体に溶融され、接着され、かつ該撥水テープには、超音波溶着部の掩蔽と、下穿身頃への固定とに用いる遊離延長片が形成されているので、該遊離延長片を用いることによりミシン縫い等手段で既存の下穿きに簡単に取り付けて使用でき、また該遊離延長片で、撥水テープの超音波溶着部が包まれるようにカバーされるので、超音波溶着部が存しても、肌との接触感、異分感をリフトとしうる等の効果を奏する。
【００１６】
また前記遊離延長片を用い、下穿の身頃にどのような固定構造で取り付けたとしても、使用時に失禁パッドの吸収シートに吸収された尿その他の水分が完全に吸水シート内に閉じ込められ、該失禁パッドを下穿身頃に縫着しているミシン糸を通して、前記尿その他の水分が下穿側へ滲み出すことを完全に防止できる効果も奏し、如何なる下穿にも必要に応じて取り付けうる効果も有している。
【００１７】
また超音波溶着部を蔽っている撥水テープの遊離延長片部分の内側端が失禁パッドの表面に接触したとしても撥水テープ本来の撥水性により尿その他の水分を吸収することが無く、下穿側への滲出は完全に防止できる効果も有する。
更に撥水テープの遊離延長片の失禁パッド側に位置する部分には、超音波溶着加工時の押圧力と発熱との作用により上方へ反りかえるごとき内部応力が生じているので、常に失禁パッドの表面から離間する傾向を持ち前記滲出の防止効果が助長される。
【００１８】
請求項２の発明によると、失禁パッドの主体部と撥水テープとの超音波溶着痕が失禁パッドの全周縁にわたり、連続しかつ互に一部重複するＳ字状の連続痕とされているので縦、横いかなる方向への伸縮にも順応して変形できるので、超音波溶着痕が存在しても、柔軟性を失わず、身体の動きを阻害することが無い効果と共に、激しい体の動きの際にも、超音波溶着部が破断し、尿その他の水分が下穿側に滲み出すことが無い等の効果も奏する。
【００１９】
請求項３の発明では、請求項１、請求項２の両発明の効果を併せ持ち、失禁用下穿の着用時における安心感、信頼感を著しく向上させうる効果を奏する。
【図面の簡単な説明】
【図１】本発明の実施の一例たる失禁用下穿の股下部の展開平面図である。
【図２】図１中Ｘ−Ｘ線断面の略示拡大図である。
【図３】本発明に係る失禁用パッドの周縁部の超音波加工前の略示拡大断面図である。
【図４】図３に示すものの超音波加工後の略示拡大断面図である。
【図５】本発明に係る失禁用パッドの下穿への縫着前の展開平面図である。
【図６】従来の失禁用パッドの展開平面図である。
【図７】図６に示すものの周縁部の略示拡大断面図である。
【図８】図６に示す失禁用パッドの下穿への縫着構造の一例の部分展開平面図である。
【図９】図８中Ｙ−Ｙ線断面の略示拡大図である。
【符号の説明】
１　失禁パッド
２　主体部
５　防水シート
６　吸水シート
７　遮水シート
８　全周縁
９　下面
１０　側端面
１１　上面
１２　撥水テープ
１４　遊離延長片
１６　超音波加工による溶着部
１７　溶着痕
１８、１９、２０　溶着痕の連結部
２１　Ｓ字状の連続痕
２５　ミシン縫目
【図１】
2004073555.tif 000003
【図２】
2004073555.tif 000004
【図３】
2004073555.tif 000005
【図４】
2004073555.tif 000006
【図５】
2004073555.tif 000007
【図６】
2004073555.tif 000008
【図７】
2004073555.tif 000009
【図８】
2004073555.tif 000010
【図９】
2004073555.tif 000011